(57)【要約】【課題】プリンタ内部のゴミを容易に取り除けるようにする。【解決手段】実施形態のプリンタ１０は、印刷媒体Ｓに印刷して排出口２０に向けて搬送するプリンタである。プリンタ１０は、印刷媒体Ｓが搬送される搬送路と、搬送路とプリンタの外部とを繋ぐ貫通孔２２ａ２〜２２ｃ２と、を備える。貫通孔２２ａ２〜２２ｃ２の穴方向は、印刷媒体Ｓの搬送方向とは異なる方向である。例えば、貫通孔２２ａ２〜２２ｃ２の穴方向は、印刷媒体Ｓの幅方向Ｄ３と平行である。【選択図】図２
2018118396.tif 000002
【特許請求の範囲】
【請求項１】
印刷媒体に印刷して排出口に向けて搬送するプリンタであって、
印刷媒体が搬送される搬送路と、
前記搬送路と前記プリンタの外部とを繋ぐ貫通孔と、を備え、
前記貫通孔の穴方向は、前記印刷媒体の搬送方向とは異なる方向である、
プリンタ。
【請求項２】
前記貫通孔の穴方向は、前記印刷媒体の幅方向と平行である、
請求項１に記載のプリンタ。
【請求項３】
前記印刷媒体は連続紙であり、
前記プリンタは、前記搬送路に設置され、前記搬送路を搬送される前記連続紙をカットするカット機構、を備え、
前記貫通孔は、前記カット機構の設置位置と前記プリンタの外部とを繋いでいる、
請求項１又は２に記載のプリンタ。
【請求項４】
前記印刷媒体は連続紙であり、
前記プリンタは、前記搬送路に設置され、前記連続紙の終端を検出するセンサー、を備え、
前記貫通孔は、前記センサーの設置位置と前記プリンタの外部とを繋いでいる、
請求項１乃至３のいずれか１項に記載のプリンタ。
【請求項５】
前記搬送路に設置され、前記印刷媒体のサイドをガイドするサイドガイド、を備え、
前記貫通孔は、前記サイドガイドの設置位置と前記プリンタの外部とを繋いでいる、
請求項１乃至４のいずれか１項に記載のプリンタ。
【発明の詳細な説明】
【技術分野】
【０００１】
本発明の実施形態は、プリンタに関する。
【背景技術】
【０００２】
金融情報処理装置（例えば、ＡＴＭ）及び商品情報処理装置（例えば、ＰＯＳ端末）は、多くの場合、印刷媒体（例えば、連続紙、通帳）に情報を印刷するプリンタを備える。この種のプリンタは、内部が複雑な機構となっている。例えば、プリンタは、内部に、印刷媒体をカットするカット機構、及び、印刷媒体を排出口に搬送する搬送機構を備える。
【先行技術文献】
【特許文献】
【０００３】
【特許文献１】特開２０１１−１８７７５５号公報
【特許文献２】特開２００２−３７５１６号公報
【特許文献３】特開２００２−２１０９１９号公報
【特許文献４】特開平１１−３５１８６号公報
【発明の概要】
【発明が解決しようとする課題】
【０００４】
プリンタの内部にゴミが溜まることがある。例えば、カット機構を備えるプリンタは、プリンタの内部に紙の切り屑が溜まり易い。プリンタの内部に溜まったゴミは、プリンタに不具合を引き起こす恐れがある。例えば、プリンタ内部のセンサー周辺にゴミがたまると、センサーは内部の状態を正常に検出できなくなる。センサーが正常に動作しない場合、場合によっては、プリンタは不具合を起こす。プリンタが不具合を起こさないようにするためには、ユーザがプリンタ内部から定期的にゴミを取り除く必要がある。しなしながら、プリンタ内部は複雑な機構となっているので、ユーザがプリンタ内部からゴミを取り除くのは容易ではない。
【０００５】
本発明が解決しようとする課題は、プリンタ内部のゴミを容易に取り除けるようにすることである。
【課題を解決するための手段】
【０００６】
実施形態のプリンタは、印刷媒体に印刷して排出口に向けて搬送するプリンタである。プリンタは、印刷媒体が搬送される搬送路と、搬送路とプリンタの外部とを繋ぐ貫通孔と、を備える。貫通孔の穴方向は、印刷媒体の搬送方向とは異なる方向である。
【図面の簡単な説明】
【０００７】
【図１】実施形態のプリンタを備える商品情報処理装置を示す斜視図である。
【図２】実施形態のプリンタの斜視図である。
【図３】実施形態のプリンタのブロック図である。
【図４】実施形態のプリンタの内部構造を示す断面図である。
【図５】印刷媒体が搬送路を搬送される様子を示す図である。
【図６】実施形態のプリンタの左側面図である。
【図７】実施形態のプリンタの右側面図である。
【図８】吸引器でプリンタの内部のゴミを吸引する様子を示す図である。
【発明を実施するための形態】
【０００８】
以下、発明を実施するための形態について図面を参照しながら説明する。なお、図中、同一または同等の部分には同一の符号を付す。
【０００９】
図１は、実施形態のプリンタ１０を備える商品情報処理装置１を示す斜視図である。商品情報処理装置１は、例えば、ＰＯＳ（Point of sales）端末である。商品情報処理装置１は、各ストアに設置され、オペレータによって操作される。商品情報処理装置１は不図示のストアサーバ（ＰＯＳサーバ）とネットワークを介して接続されている。プリンタ１０は商品情報処理装置１に固定或いは内蔵されている。
【００１０】
なお、以下の説明には、Ｘ軸、Ｙ軸、及びＺ軸から構成される直交座標系を用いる。図中、矢印の指し示す方向がプラス方向である。Ｘ軸プラス方向が右方向であり、Ｘ軸マイナス方向が左方向である。また、Ｙ軸プラス方向が正面方向（前側）であり、Ｙ軸マイナス方向が背面方向（後側）である。また、Ｚ軸プラス方向が上方向であり、Ｚ軸マイナス方向が下方向である。正面とはオペレータが位置する側のことである。図１の例であれば、正面は白抜き矢印の方向である。
【００１１】
図２は、商品情報処理装置１からプリンタ１０を取り出したものである。プリンタ１０は、レシートを発行するためのレシートプリンタである。プリンタ１０の筐体２２の上部には、ロール紙ホルダーを覆うカバー２１が配置されている。ユーザはカバー２１を開けてロール紙ホルダーにロール紙ＰＲを格納する。ロール紙ＰＲは、印刷媒体Ｓが巻き回されたロールである。印刷媒体Ｓは、帯状の用紙（連続紙）である。本実施形態では、印刷媒体Ｓの幅方向Ｄ３はＸ軸方向となっている。プリンタ１０は、ロール紙ＰＲから印刷媒体Ｓを取り出し、取引明細等の情報を印刷する。プリンタ１０は、印刷媒体Ｓを排出するための排出口２０を備える。なお、図１及び図２に示した外観はあくまで一例であり、様々な変形が可能である。
【００１２】
図３は、プリンタ１０のブロック図である。プリンタ１０は、制御部１１と、通信インタフェース１２と、出力部１３と、カット機構１４と、印刷部１５と、検出部１６と、搬送部１７と、を備える。
【００１３】
制御部１１は、プロセッサ、ＦＰＧＡ（Field Programmable Gate Array）等の処理装置である。制御部１１は、プリンタ１０の制御手段として機能する。制御部１１は、プリンタ１０の各部を制御する。例えば、出力部１３は、後述の検出部１６から送信される信号に基づいて、ロール紙ＰＲに巻き回されている連続紙が少なくなったこと（ペーパーロー）、及び、ロール紙ＰＲに巻き回されている連続紙がなくなったこと（ペーパーエンド）を検出し、検出結果を出力部１３に出力する。
【００１４】
通信インタフェース１２は、商品情報処理装置１の制御装置（例えば、プロセッサ）と通信する通信インタフェースである。通信インタフェース１２は、ＲＳ−２３２ｃ、シリアルＡＴＡ等のシリアルインタフェースであってもよいし、ＩＳＡ（Industrial Standard Architecture bus）、ＰＣＩ（Peripheral Component Interconnect）等のパラレルインタフェースであってもよい。通信インタフェース１２は、商品情報処理装置１から各種データを取得する。例えば、通信インタフェース１２は、商品情報処理装置１から、印刷部１５が印刷媒体Ｓに印刷する情報（例えば、取引明細等の取引情報）を取得する。
【００１５】
また、通信インタフェース１２は、制御部の制御に従って、商品情報処理装置１の制御装置に各種情報を送信する。商品情報処理装置１は、通信インタフェース１２を介して取得した情報をユーザに通知してもよい。通信インタフェース１２は、プリンタ１０の通知手段として機能する。
【００１６】
出力部１３は、ユーザに情報を通知するための出力装置である。出力部１３は、例えば、スピーカー、ブザー等の音響発生装置、或いはＬＥＤ（Light Emitting Diode）ランプ等の点灯装置である。勿論、出力部１３は音響発生装置及び点灯装置に限定されない。例えば、出力部１３は、液晶ディスプレイ（Liquid Crystal Display）、有機ＥＬディスプレイ(Organic Electroluminescence Display)等の表示装置であってもよい。出力部１３は、制御部１１の制御に基づいて、ユーザに対し各種情報を出力する。例えば、出力部１３は、ペーパーロー及びペーパーエンドが発生した場合に点灯装置を点灯する。出力部１３は、プリンタ１０の通知手段として機能する。
【００１７】
図４は、プリンタ１０の内部構造を示す断面図である。プリンタ１０は内部にロール紙ホルダー１９を備え、ロール紙ホルダー１９にロール紙ＰＲを格納である。ロール紙ホルダー１９の底部には、落込部１９ａが形成されている。落込部１９ａは、巻き回されている連続紙が少なくなって径の小さくなったロール紙ＰＲが落ち込む凹部である。ロール紙ＰＲは径が小さくなると落込部１９ａに嵌まり込む。
【００１８】
プリンタ１０は、ロール紙ホルダー１９から排出口２０まで一直線に延びる搬送路１８が形成されている。本実施形態の搬送路１８は、水平（Ｙ軸方向）に一直線に延びている。搬送路１８には、カット機構１４と、印刷部１５と、検出部１６と、搬送部１７と、が配置されている。
【００１９】
カット機構１４は、印刷媒体Ｓから印刷完了部分（例えば、レシートとなる部分）を切り離すための機構である。カット機構１４は、スライドカッターを備えるスライド式カット機構であってもよいし、ローラカッターを備えるローラ式カット機構であってもよい。図４には、カット機構１４の一例として、スライド式カット機構が示されている。カット機構１４は、印刷部１５の上流に配置されている。上流とは、連続紙Ｓの供給元（本実施形態の場合、ロール紙ホルダー１９）に近い側のことである。図４の例であれば、上流はＤ１の示す方向である。カット機構１４は、制御部１１の制御に従って印刷媒体Ｓをカットする。
【００２０】
印刷部１５は、印刷媒体Ｓに取引明細等の情報を印字する印刷ユニットである。印刷部１５は、サーマル方式のプリントユニットである。印刷部１５は、プリントヘッド１５ａと、ローラ１５ｂと、を備える。プリントヘッド１５ａは、サーマルヘッドであり、ローラ１５ｂはプラテンローラである。ローラ１５ｂは、用紙Ｓを搬送する搬送部（搬送手段）としても機能する。プリントヘッド１５ａと、ローラ１５ｂは、印字媒体Ｓの通路を挟んで対向している。印刷部１５は、制御部１１の制御に従って連続紙Ｓに情報を印字する。
【００２１】
検出部１６は、プリンタ１０の状態を検出する検出装置である。検出部１６は、プリンタ１０の検出手段として機能する。検出部１６は、センサー１６ａと、センサー１６ｂと、を備える。
【００２２】
センサー１６ａは、連続紙（印刷媒体Ｓ）の終端を検出するペーパーエンドセンサーである。センサー１６ａは、プリンタ１０の第１のセンサーとして機能する。センサー１６ａは、搬送路１８に設置されている。例えば、センサー１６ａの上流側の端（ロール紙ホルダー１９の出口付近）に設置されている。センサー１６ａは、例えば、光センサーである。例えば、センサー１６ａは、印刷媒体Ｓの搬送路１８の搬送面に向けて光を照射する発光体と、搬送面からの反射光を受光する受光体と、を備え、受光体で受光した光の強さに基づいて搬送路１８上に印刷媒体Ｓがあるか否かを検出する。搬送路１８上に印刷媒体Ｓがない場合、センサー１６ａは、ロール紙Ｓから取り出された連続紙の終端が通過したと判断する。これによりセンサー１６ａは、連続紙の終端を検出することが可能になる。
【００２３】
センサー１６ｂは、ロール紙ＰＲに巻き回されている連続紙が少なくなったことを検出するペーパーローセンサーである。センサー１６ｂは、プリンタ１０の第２のセンサーとして機能する。センサー１６ｂは、ロール紙ホルダー１９に設置されている。例えば、センサー１６ｂは、落込部１９ａの底部に設置されている。検出部１６は、例えば、機械式スイッチである。例えば、落込部１９ａに落ち込んだロール紙ＰＲの重さでＯＮするボタンスイッチである。センサー１６ｂのＯＮ、ＯＦＦは制御部１１に通知される。制御部１１は、センサー１６ｂがＯＮされたら、ロール紙の連続紙が少なくなったと判別する。
【００２４】
搬送部１７は、印刷媒体Ｓを搬送路１８に沿って搬送する搬送装置である。搬送部１７は、プリンタ１０の搬送手段として機能する。搬送部１７は、複数の搬送ローラ（図４に示す、ローラ１７ａ〜ｅ２）を備える。複数の搬送ローラは搬送路に沿って配置されている。ローラ１７ａは、搬送ローラとして機能するとともに、連続紙（印刷媒体Ｓ）にテンションを加えるテンションローラとしても機能する。ローラ１７ｂ１〜７１ｅ２は、それぞれ、上下一対となっている。
【００２５】
図５は、印刷媒体Ｓが搬送路１８を搬送される様子を示す図である。搬送路１８には、印刷媒体Ｓの搬送方向に延びる搬送面１８ｓが設けられている。搬送面１８ｓには、上下一対のローラ（図５に示すローラ１７ｃ１〜１７ｄ４）が複数設けられている。印刷媒体Ｓは上下のローラに挟まれて下流に搬送される。下流とは、排出口２０に近い側のことである。図５の例であれば、Ｄ２の示す方向である。
【００２６】
搬送路１８には、印刷媒体Ｓのサイドをガイドするサイドガイド１８ａ、１８ｂが設けられている。サイドガイド１８ａ、１８ｂは、搬送面１８ｓから上方向に突出する凸部である。サイドガイド１８ａは、搬送面１８ｓの左側端部（Ｘ軸マイナス方向側端部）に設けられており、搬送面１８ｓの右側端部（Ｘ軸プラス方向側端部）に設けられている。
【００２７】
上述したように、プリンタ１０の内部には、カット機構１４が設けられている。カット機構１４付近には紙の切り屑が溜まり易い。また、搬送路１８には、サイドガイド１８ａ、１８ｂが設けられている。印刷媒体Ｓの幅方向の端部がサイドガイド１８ａ、１８ｂによって擦られるので、サイドガイド１８ａ、１８ｂ付近にも紙屑が溜まり易い。特に、サイドガイド１８ａ、１８ｂの上流側端部１８ａ１、１８ｂ１は、印刷媒体Ｓのサイドが最初に当接する場所であるので、紙屑が特に溜まり易い。これらのゴミがプリンタ１０の内部に多く溜まると、センサー１６ａ、１６ｂの感度は低下する恐れがある。
【００２８】
しかしながら、本実施形態のプリンタ１０には、プリンタ１０の内部からゴミを吸い出すための貫通孔が設けられている。なお、貫通孔とは、小径の孔のことであり、トップカバーが設けられた開口（例えば、ロール紙ホルダー１９上部のカバー２１が設けられた開口）とは異なる。貫通孔の形状は円形であってもよいし、楕円形であってもよい。また、貫通孔の形状は、四角形、六角形等の多角形であってもよい。上述したように貫通孔は小径の孔である。例えば、貫通孔は、外接円の直径が１ｍｍ〜５０ｍｍ、望ましくは５ｍｍ〜２０ｍｍの孔である。
【００２９】
図６は、プリンタ１０の左側面図であり、図７はプリンタ１０の右側面図である。プリンタ１０の筐体２２の左側面には、貫通孔２２ａ１、２２ｂ１、２２ｃ１、２２ｄ１が設けられている。また、プリンタ１０の筐体２２の右側面には、貫通孔２２ａ２、２２ｂ２、２２ｃ２、２２ｄ２が設けられている。貫通孔２２ａ１〜２２ｄ２は、それぞれ、プリンタ１０の外部と内部を繋いでいる。
【００３０】
貫通孔２２ａ１、２２ａ２、２２ｂ１、２２ｂ２、２２ｃ１、２２ｃ２は、それぞれ、
搬送路１８とプリンタ１０の外部とを繋いでいる。貫通孔２２ａ１、２２ａ２は、センサー１６ａの設置位置とプリンタ１０の外部とを繋いでいる。貫通孔２２ｂ１、２２ｂ２は、カット機構１４の設置位置とプリンタ１０の外部とを繋いでいる。貫通孔２２ｃ１は、サイドガイド１８ａの設置位置とプリンタ１０の外部とを繋いでおり、貫通孔２２ｃ２は、サイドガイド１８ｂの設置位置とプリンタ１０の外部とを繋いでいる。より具体的には、貫通孔２２ｃ１は、サイドガイド１８ａの上流側端部１８ａ１とプリンタ１０の外部とを繋いでおり、貫通孔２２ｃ２は、サイドガイド１８ｂの上流側端部１８ｂ１の設置位置とプリンタ１０の外部とを繋いでいる。また、貫通孔２２ｄ１、２２ｄ２は、センサー１６ｂの設置位置とプリンタ１０の外部とを繋いでいる。
【００３１】
貫通孔２２ａ１〜２２ｄ２は、搬送路１８の搬送方向端部にある排出口２０とは異なる孔である。そのため、貫通孔２２ａ１〜２２ｄ２の穴方向は、いずれも、印刷媒体Ｓの搬送方向（本実施形態ではＹ軸プラス方向）とは異なっている。ここで穴方向とは、貫通孔の貫通方向のことである。例えば、穴方向は、貫通孔の一方の開口の中心と他方の開口の中心を結んだ方向のことである。本実施形態の場合、貫通孔２２ａ１〜２２ｄ２の穴方向は、いずれも、印刷媒体Ｓの幅方向（Ｘ軸方向）と平行となっている。
【００３２】
ユーザは貫通孔２２ａ１〜２２ｄ２からプリンタ１０内部のゴミを吸引する。図８は吸引器３０でプリンタ１０の内部のゴミを吸引する様子を示す図である。ユーザは、吸引器３０に繋がるホース３１の先端を貫通孔に当接させ、貫通孔からプリンタ１０内部のゴミを吸引する。図８の例では、ユーザは、貫通孔２２ｂ１からカット機構１４周辺に溜まった紙屑を吸い出している。
【００３３】
本実施形態によれば、プリンタ１０の筐体２２に、プリンタ１０の内部のゴミを吸引するための貫通孔２２ａ１〜２２ｄ２が設けられている。従って、ユーザは、貫通孔２２ａ１〜２２ｄ２からプリンタ１０の内部のゴミを容易に取り除くことができる。
【００３４】
カット機構１４の設置位置には紙屑が溜まり易い。本実施形態のプリンタ１０には、カット機構１４の設置位置に繋がる貫通孔２２ｂ１、２２ｂ２が設けられている。ユーザはこれらの貫通孔を使ってプリンタ１０の内部のゴミを効率的に取り除くことができる。
【００３５】
また、サイドガイド１８ａ、１８ｂの設置位置にも紙屑が溜まり易い。特に、サイドガイド１８ａ、１８ｂの上流側端部１８ａ１、１８ｂ２には紙屑が溜まり易い。本実施形態のプリンタ１０には、サイドガイド１８ａ、１８ｂの設置位置に繋がる貫通孔２２ｃ１、２２ｃ２が設けられている。ユーザはこれらの貫通孔を使ってプリンタ１０の内部のゴミを効率的に取り除くことができる。
【００３６】
センサー付近にゴミがたまると、センサーの精度が低下する恐れがある。本実施形態のプリンタ１０には、センサー１６ａの設置位置に繋がる貫通孔２２ａ１、２２ａ２と、センサー１６ｂの設置位置に繋がる貫通孔２２ｄ１、２２ｄ２と、が設けられている。ユーザはこれらの貫通孔を使ってセンサー付近のゴミを効率的に取り除くことができる。よって、ゴミによるセンサー精度の低下はあまり発生しない。
【００３７】
また、貫通孔２２ａ１〜２２ｄ２は、プリンタ１０の側面に設けられており、貫通孔２２ａ１〜２２ｄ２の穴方向は印刷媒体Ｓの幅方向と平行となっている。プリンタの外部と目的の場所（カット機構１４、サイドガイド１８ａ、１８ｂ、及びセンサー１６ａ、１６ｂの設置位置）との距離が短いので、ユーザは効率的にプリンタ内部のゴミを取り除くことができる。
【００３８】
上述の各実施形態はそれぞれ一例を示したものであり、種々の変更及び応用が可能である。
【００３９】
例えば、上述の実施形態では、印刷媒体Ｓは、ロール紙ＰＲから取り出された連続紙であるものとしたが、印刷媒体Ｓはロール紙ＰＲから取り出された連続紙に限定されない。例えば、印刷媒体Ｓは、折り畳み連続紙等の他の連続紙であってもよい。また、印刷媒体Ｓは、連続紙に限定されない。例えば、印刷媒体Ｓは、予め決められた大きさにカットされた用紙（例えば、Ａ４用紙、Ｂ５用紙、或いは、手形、小切手等に使用される帳票用紙）であってもよい。また、印刷媒体Ｓは、通帳であってもよい。このとき、プリンタ１０は通帳のページを捲るページ捲り機構を備えていてもよい。ページ捲り機構は、搬送路１８に設けられていてもよい。
【００４０】
また、上述の実施形態では、プリンタ１０に設けられる貫通孔は、貫通孔２２ａ１〜２２ｄの８つであったが、プリンタ１０に設けられる貫通孔は８つに限られない。貫通孔は８つより多くてもよいし、少なくてもよい。貫通孔は、プリンタ１０の右側面にだけ設けられていてもよいし、左側面にだけ設けられていてもよい。勿論、貫通孔は側面以外に設けられていてもよい。例えば、貫通孔はプリンタ１０の上面或いは底面に設けられていてもよい。底面に貫通孔を設けた場合、貫通孔からプリンタ１０の内部へ塵や埃が入るのを防止できる。
【００４１】
また、上述の実施形態では、プリンタ１０は、センサー１６ａ、１６ｂを備えるものとしたが、プリンタ１０が備えるセンサーはセンサー１６ａ、１６ｂに限定されない。例えば、プリンタ１０は、搬送路１８上に印刷媒体Ｓに付与された磁気部分（例えば、通帳の磁気テープ部分）から情報を読み取る磁気センサーを備えていてもよい。また、手形、小切手等の帳票に付与されたＭＩＣＲ（Magnetic ink character recognition）方式の文字を読み取るＭＩＣＲセンサーであってもよい。磁気センサーやＭＩＣＲセンサーは搬送路１８に設けられていてもよい。
【００４２】
また、上述の実施形態では、プリンタ１０には、カット機構１４、サイドガイド１８ａ、１８ｂ、及びセンサー１６ａ、１６ｂの設置位置とプリンタ１０の外部とを繋ぐように貫通孔が設けられていた。しかしながら、貫通孔が設けられる位置はこれらの設置位置に限定されない。例えば、貫通孔は、磁気センサーの設置位置とプリンタ１０の外部とを繋ぐように設けられていてもよいし、ＭＩＣＲセンサーの設置位置とプリンタ１０の外部とを繋ぐように設けられていてもよい。また、貫通孔は、通帳のページを捲るページ捲り機構の設置位置とプリンタ１０の外部とを繋ぐよう設けられていてもよい。これらの貫通孔もプリンタ１０の側面に設けられていてもよい。すなわち、貫通孔の穴方向は、印刷媒体Ｓの幅方向と平行であってもよい。
【００４３】
また、上述の実施形態では、搬送路１８は水平に一直線に延びているものとしたが、搬送路１８が延びる方向は水平でなくてもよい。例えば、搬送路１８は鉛直方向（Ｚ軸方向）に延びていてもよい。また、搬送路１８は必ずしも一直線でなくてもよい。搬送路１８は曲がっていてもよい。
【００４４】
また、上述の実施形態では、印刷部１５はサーマル方式のプリントユニットであるものとしたが、印刷部１５はサーマル方式のプリントユニットに限定されない。例えば、印刷部１５は、ドットインパクト方式、インクジェット方式、或いは電子写真方式のプリントユニットであってもよい。
【００４５】
また、上述の実施形態では、プリンタ１０は商品情報処理装置１に固定或いは内蔵されるものとしたが、プリンタ１０は商品情報処理装置１に外付できるよう構成されていてもよい。例えば、プリンタ１０はＵＳＢ（Universal Serial Bus）等の接続インタフェースを備え、ＵＳＢケーブル等の通信ケーブルで商品情報処理装置１に接続できるよう構成されていてもよい。
【００４６】
また、プリンタ１０は、ユーザインタフェースを備え、商品情報処理装置１から独立して単体動作できるよう構成されていてもよい。また、プリンタ１０は、パーソナルコンピュータに接続され、パーソナルコンピュータの指示に基づいて動作するよう構成されていてもよい。また、上述の実施形態では、プリンタ１０は出力部１３を備えるものとしたが、プリンタ１０は出力部１３を備えていなくてもよい。
【００４７】
また、上述の実施形態では、商品情報処理装置１は、ＰＯＳ端末であるものとしたが、商品情報処理装置１はＰＯＳ端末に限定されない。例えば、商品情報処理装置１は、ネットワーク接続機能を持たない単体動作型のキャッシュレジスターであってもよい。
【００４８】
また、上述の実施形態では、プリンタ１０はＰＯＳ端末或いは単体動作型のキャッシュレジスターに設置されるものとしたが、プリンタ１０が設置される装置はこれらに限定されない。例えば、プリンタ１０が設置される装置は、金融情報処理装置であってもよい。金融情報処理装置は、銀行のＡＴＭ（Automated Teller Machine）であってもよい。この場合、商品情報処理装置１は金融情報処理装置１と言い換えることができる。勿論、プリンタ１０が設置される装置は、商品情報処理装置および金融情報処理装置、以外の装置であってもよい。
【００４９】
また、上述の実施形態では、商品情報処理装置１或いは金融情報処理装置１は、プリンタ１０が固定或いは内蔵されるものとした。しかし、商品情報処理装置１或いは金融情報処理装置１は、プリンタ１０を介することなく、直接、連続紙Ｓに印刷できるよう構成されていてもよい。例えば、商品情報処理装置１或いは金融情報処理装置１は、制御部１１と、通信インタフェース１２と、出力部１３と、カット機構１４と、印刷部１５と、検出部１６と、搬送部１７と、を備えていてもよい。制御部１１は商品情報処理装置１或いは金融情報処理装置１の各部を制御する制御装置（例えば、プロセッサ）と共通であってもよい。商品情報処理装置１或いは金融情報処理装置１をプリンタ１０そのものとみなすことも可能である。
【００５０】
また、上述の実施形態では、プリンタ１０はレシートプリンタであるものとして説明したが、プリンタ１０はレシートプリンタに限定されない。例えば、プリンタ１０はラベルプリンタであってもよい。このとき、プリンタ１０に格納されるロール紙ＰＲ１は、ラベル台紙が巻き回された、ラベル用のロール紙であってもよい。ラベル台紙も連続紙の一種である。
【００５１】
なお、プリンタ１０は、ジャーナルプリンタ、ラベルプリンタ以外のプリンタであってもよい。例えば、プリンタ１０は、レシートや銀行のステートメントに印刷を行うプリンタであってもよいし、ジャーナル情報を印刷するジャーナルプリンタであってもよい。また、プリンタ１０は、通帳に印刷するよう構成されていてもよい。プリンタ１０が印刷媒体Ｓに印刷する情報は取引明細等の取引情報に限定されず、他の情報であってもよい。
【００５２】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことが出来る。この実施形態やその変形は、発明の範囲や要旨に含まれるとともに、特許請求の範囲に記載された発明とその均等の範囲に含まれる。
【００５３】
上述の実施形態は以下の付記のようにも記載され得る。もちろん、上述の実施形態は、以下の付記のみに限定されるものではない。
【００５４】
（付記１）
印刷媒体に印刷して排出口に向けて搬送するプリンタであって、
印刷媒体が搬送される搬送路と、
前記搬送路と前記プリンタの外部とを繋ぐ第１の貫通孔と、を備える、
プリンタ。
【００５５】
（付記２）
前記第１の貫通孔の穴方向は、前記印刷媒体の搬送方向とは異なる方向である、
付記１に記載のプリンタ。
【００５６】
（付記３）
前記第１の貫通孔の穴方向は、前記印刷媒体の幅方向と平行である、
付記２に記載のプリンタ。
【００５７】
（付記４）
前記印刷媒体は連続紙であり、
前記プリンタは、前記搬送路に設置され、前記搬送路を搬送される前記連続紙をカットするカット機構、を備え、
前記第１の貫通孔は、前記カット機構の設置位置と前記プリンタの外部とを繋いでいる、
付記１乃至３のいずれか１つに記載のプリンタ。
【００５８】
（付記５）
前記印刷媒体は連続紙であり、
前記プリンタは、前記搬送路に設置され、前記連続紙の終端を検出する第１のセンサー、を備え、
前記第１の貫通孔は、前記第１のセンサーの設置位置と前記プリンタの外部とを繋いでいる、
付記１乃至４のいずれか１つに記載のプリンタ。
【００５９】
（付記６）
前記搬送路に設置され、前記印刷媒体のサイドをガイドするサイドガイド、を備え、
前記第１の貫通孔は、前記サイドガイドの設置位置と前記プリンタの外部とを繋いでいる、
付記１乃至５のいずれか１つに記載のプリンタ。
【００６０】
（付記７）
前記第１の貫通孔は、前記サイドガイドの上流側端部と前記プリンタの外部とを繋いでいる、
付記６に記載のプリンタ。
【００６１】
（付記８）
連続紙が巻き回されたロール紙を格納するロール紙ホルダーと、
前記ロール紙ホルダーに設置され、前記ロール紙の連続紙が少なくなったことを検出する第２のセンサーと、
前記第２のセンサーの設置位置と前記プリンタの外部とを繋ぐ第１の貫通孔と、を備える、
付記１乃至７のいずれか１つに記載のプリンタ。
【００６２】
（付記９）
ロール紙から取り出された連続紙に印刷して排出口に向けて搬送するプリンタであって、
前記ロール紙を格納するロール紙ホルダーと、
前記ロール紙ホルダーに設置され、前記ロール紙に巻き回されている連続紙が少なくなったことを検出するセンサーと、
前記センサーの設置位置と前記プリンタの外部とを繋ぐ貫通孔と、を備え、
前記貫通孔の穴方向は、前記連続紙の搬送方向とは異なる方向である、
プリンタ。
【００６３】
（付記１０）
前記貫通孔の穴方向は、前記連続紙の幅方向と平行である、
付記９に記載のプリンタ。
【００６４】
（付記１１）
付記１乃至１０のいずれか１つに記載のプリンタを備える、
商品情報処理装置。
【００６５】
（付記１２）
付記１乃至１０のいずれか１つに記載のプリンタを備える、
金融情報処理装置。
【符号の説明】
【００６６】
１…商品情報処理装置（金融情報処理装置）
１０…プリンタ
１１…制御部
１２…通信インタフェース
１３…出力部
１４…カット機構
１５…印刷部
１５ａ…プリントヘッド
１５ｂ…ローラ
１６…検出部
１６ａ、１６ｂ…センサー
１７…搬送部
１７ａ〜１７ｅ２…ローラ
１８…搬送路
１８ａ、１８ｂ…サイドガイド
１８ａ１、１８ｂ１…上流側端部
１８ｓ…搬送面
１９…ロール紙ホルダー
１９ａ…落込部
２０…排出口
２１…カバー
２２…筐体
２２ａ１〜２２ｄ１、２２ａ２〜２２ｄ２…貫通孔
３０…吸引器
３１…ホース
ＰＲ…ロール紙
Ｓ…印刷媒体
【図１】
2018118396.tif 000003
【図２】
2018118396.tif 000004
【図３】
2018118396.tif 000005
【図４】
2018118396.tif 000006
【図５】
2018118396.tif 000007
【図６】
2018118396.tif 000008
【図７】
2018118396.tif 000009
【図８】
2018118396.tif 000010